(57)【特許請求の範囲】
【請求項１】
複数のハイブリッド機器と、
前記複数のハイブリッド機器に連通され、前記複数のハイブリッド機器を冷却するための冷媒を前記ハイブリッド機器に循環させる冷媒回路と、
前記冷媒回路と接続されたラジエータと、
作業機の駆動に用いられる作動油を冷却するためのオイルクーラと、
前記ラジエータおよび前記オイルクーラを冷却するための冷却風を生成するファンと、
前記ファンの回転数を変更可能な可変機構と、
前記複数のハイブリッド機器にそれぞれ対応して設けられ、各々が対応する前記ハイブリッド機器の温度を検出する複数のセンサと、
前記オイルクーラに設けられ、前記作動油の温度を検出する作動油温度センサと、
前記複数のセンサによって検出された前記ハイブリッド機器の温度および前記作動油の温度に基づいて、前記可変機構を制御して前記ファンの回転数を制御するファン制御部と、
ハイブリッド機器の温度と前記ファンの回転数との関係を規定する関係データを、前記複数のハイブリッド機器に応じて複数記憶する記憶部とを備え、
前記ファン制御部は、前記複数のセンサによって検出されたそれぞれの温度に基づいて、前記記憶部に記憶された複数の関係データに従って設定されるファンの回転数のうち、最も高い回転数となるように前記ファンの回転数を制御し、
前記記憶部は、前記作動油を冷却するために作動油の温度に従って異なるファンの回転数に設定するための作動油関係データをさらに記憶し、
前記作動油関係データにおける作動油の温度変化に対する最小回転数から最大回転数へのファンの回転数の変化率よりも、各前記ハイブリッド機器の温度変化に対する最小回転数から最大回転数へのファンの回転数の変化率の方が大きい、作業車両。
【請求項２】
前記複数の関係データは、それぞれ対応するハイブリッド機器の温度変化に対するファンの回転数の変化率が小さい第１領域と、前記第１領域の後に前記第１領域よりも前記変化率が大きい第２領域とを有する、請求項１に記載の作業車両。
【請求項３】
前記ファンに回転のための駆動力を与えるエンジンをさらに備え、
前記可変機構は、前記エンジンと前記ファンとの間に設けられる、請求項１あるいは２に記載の作業車両。
【請求項４】
前記複数のハイブリッド機器は、旋回体の減速時に発生する電気エネルギーを回収可能な電気モータと、電気エネルギーを蓄電するキャパシタと、前記電気モータで回収した電気エネルギーを前記キャパシタに蓄電制御するインバータとを少なくとも含む、請求項１〜３のいずれか１項に記載の作業車両。
【発明の詳細な説明】
【技術分野】
【０００１】
本発明は、作業車両に関する。
【背景技術】
【０００２】
作業車両のエンジンには、一般に、冷却用のファンが連結されている。例えば、特許文献１には、エンジンの出力軸にクラッチ（ファンクラッチ）を介して連結されたファンが開示されている。ファンクラッチは、ファンの回転数を調節可能である。【０００３】
特許文献１には、ファンの回転数の制御に関して、例えばエンジン冷却水等が所定の温度範囲にあるか否かを判断する閾値を設けて、当該閾値を超えたか否かによって、ファンクラッチの接続／切断を制御する方式が開示されている。【０００４】
特許文献２には、ファンクラッチの制御に関して、車両の運転状態を推定して、推定した運転状態に対応するファンの回転数を調整する制御マップによりファンクラッチを制御する方式が開示されている。
【先行技術文献】
【特許文献】
【０００５】
【特許文献１】特開２００５−３１３１号公報
【特許文献２】特開２０１３−４７４７０号公報
【発明の概要】
【発明が解決しようとする課題】
【０００６】
一方で、近年、油圧ショベルにおいて動力源にエンジンと電気モータとの双方を用いるハイブリッド化が進められている。このハイブリッド油圧ショベルでは、従来の冷却対象に加えて、インバータ等の電気機器（ハイブリッド機器とも称する）を有する電動機システムを冷却する必要がある。しかしながら、上記特許文献１および２には、当該ハイブリッド機器を冷却するために効率的にファンの回転数を調整する点については開示されていない。【０００７】
本発明は、上記の課題を解決するためになされたものであって、ハイブリッド機器の状態に基づいて効率的にファンの回転数を制御することが可能な作業車両を提供することを目的とする。【０００８】
その他の課題と新規な特徴は、本明細書の記述および添付図面から明らかになるであろう。
【課題を解決するための手段】
【０００９】
本発明のある局面に従う作業車両は、複数のハイブリッド機器と、冷媒回路と、ラジエータと、ファンと、可変機構と、複数のセンサと、ファン制御部とを備える。冷媒回路は、複数のハイブリッド機器に連通され、複数のハイブリッド機器を冷却するための冷媒をハイブリッド機器に循環させる。ラジエータは、冷媒回路と接続される。ファンは、ラジエータを冷却するための冷却風を生成する。可変機構は、ファンの回転数を変更可能である。
複数のセンサは、複数のハイブリッド機器にそれぞれ対応して設けられ、各々が対応するハイブリッド機器の温度を検出する。ファン制御部は、複数のセンサによって検出されたハイブリッド機器の温度に基づいて、可変機構を制御してファンの回転数を制御する。【００１０】
本発明の作業車両によれば、ファン制御部は、複数のセンサによって検出された温度に基づいて可変機構を制御してファンの回転数を制御するため、各ハイブリッド機器の状態に基づいて効率的にファンの回転数を制御することが可能である。【００１１】
好ましくは、作業車両は、記憶部をさらに備える。記憶部は、ハイブリッド機器の温度とファンの回転数との関係を規定する関係データを、複数のハイブリッド機器に応じて複数記憶する。ファン制御部は、複数のセンサによって検出されたそれぞれの温度に基づいて、記憶部に記憶された複数の関係データに従って設定されるファンの回転数のうち、最も高い回転数となるようにファンの回転数を制御する。【００１２】
上記によれば、ファン制御部は、複数のセンサによって検出された温度に基づいて記憶部に記憶された複数の関係データに従って設定するファンの回転数が最も高い回転数となるようにファンの回転数を制御するため、効率的にファンの回転数を制御することが可能である。【００１３】
好ましくは、ファン制御部は、作業車両で用いられる作動油の温度および複数のセンサによって検出された温度に基づいて可変機構を制御してファンの回転数を制御する。記憶部は、作動油を冷却するために作動油の温度に従って異なるファンの回転数に設定するための作動油関係データをさらに記憶する。作動油関係データにおける作動油の温度変化に対する最小回転数から最大回転数へのファンの回転数の変化率よりも、各ハイブリッド機器の温度変化に対する最小回転数から最大回転数へのファンの回転数の変化率の方が大きい。【００１４】
上記によれば、作動油関係データにおける作動油の温度変化に対する最小回転数から最大回転数へのファンの回転数の変化率よりも、各ハイブリッド機器の温度変化に対する最小回転数から最大回転数へのファンの回転数の変化率の方が大きい。したがって、急峻に変化する電子部品の温度に対して適切なファンの回転数を設定することが可能である。【００１５】
好ましくは、複数の関係データは、それぞれ対応するハイブリッド機器の温度変化に対するファンの回転数の変化率が小さい第１領域と、第１領域の後に第１領域よりも変化率が大きい第２領域とを有する。【００１６】
上記によれば、ファンの回転数の変化率が小さい領域、大きい領域の順番にファンの回転数が設定されるため不必要に回転数を上昇させることなく効率的にファンの回転数を設定することが可能である。【００１７】
好ましくは、作業車両は、エンジンをさらに備える。エンジンは、ファンに回転のための駆動力を与える。可変機構は、エンジンとファンとの間に設けられる。【００１８】
上記によれば、エンジンの回転数に対してファンの回転数を変更可能であるためファンの回転数を適切に調整することによりエンジンの燃費改善を図ることが可能である。
【発明の効果】
【００１９】
ハイブリッド機器の状態に基づいて効率的にファンの回転数を制御することが可能である。
【図面の簡単な説明】
【００２０】
【図１】実施形態に基づく作業車両１０１の外観を説明する図である。
【図２】実施形態に基づく冷却ユニットの構成を示す斜視図である。
【図３】実施形態に基づく冷却ユニットの背面側の構成を示す斜視図である。
【図４】本実施形態に基づくファン２００の外観図である。
【図５】本実施形態に基づくファン駆動部２１０の構成を説明する図である。
【図６】実施形態に基づく冷却システム３００について説明する図である。
【図７】実施形態に基づく冷却システム３００の循環経路Ｌを説明する図である。
【図８】実施形態に基づくファン２００を制御する機能ブロック図である。
【図９】実施形態に基づく複数の制御マップの構成を説明する図である。
【図１０】複数の制御マップを利用してファン２００を制御する概念図である。
【発明を実施するための形態】
【００２１】
以下、本発明の実施形態について図に基づいて説明する。
＜全体構成＞
図１は、実施形態に基づく作業車両１０１の外観を説明する図である。
【００２２】
図１に示されるように、実施形態に基づく作業車両１０１として、本例においては、主にハイブリッド型の油圧ショベルを例に挙げて説明する。
【００２３】
ハイブリッド型の油圧ショベルは、旋回電気モータ、発電機モータ、変換器としてインバータ、畜電器としてのキャパシタ、およびエンジン等を備えている。そして、ハイブリッド型の油圧ショベルでは、車体旋回の減速時に旋回電気モータで発生する電気エネルギーと、エンジンと直結された発電機モータで発生される電気エネルギーとがキャパシタに蓄えられる。キャパシタに蓄えられた電気エネルギーは、発電機モータを通じてエンジン加速時の補助エネルギーとして利用される。
【００２４】
なお、以下の説明において、「前」「後」「左」「右」とは、運転席に着座したオペレータを基準として決められる方向である。
【００２５】
作業車両１０１は、走行体１と、旋回体３と、作業機４とを主に有している。作業車両本体は、走行体１と旋回体３とにより構成される。走行体１は、左右一対の履帯を有している。旋回体３は、走行体１の上部の旋回機構（旋回電気モータ）を介して旋回可能に装着される。
【００２６】
作業機４は、旋回体３において、上下方向に作動可能に軸支されており、土砂の掘削などの作業を行う。作業機４は、ブーム５と、アーム６と、バケット７とを含む。ブーム５は、基部において旋回体３に可動可能に連結されている。アーム６は、ブーム５の先端に可動可能に連結されている。バケット７は、アーム６の先端に可動可能に連結されている。また、旋回体３は、運転室８等を含む。旋回体３の後部には、エンジンが配置されるとともに、後述する冷却ユニットが配置されている。
【００２７】
＜冷却ユニットの構成＞
図２は、実施形態に基づく冷却ユニットの構成を示す斜視図である。
【００２８】
図３は、実施形態に基づく冷却ユニットの背面側の構成を示す斜視図である。
図２に示されるように、冷却ユニットは、冷却対象物として、作業機４の駆動に用いられる作動油を冷却するオイルクーラ２２と、エンジンを冷却するエンジン冷却水を冷却するエンジンラジエータ２４と、電動機システムを冷却する冷却水（ハイブリッド冷却水とも称する）を冷却するラジエータ（ハイブリッドラジエータとも称する）２９とを含む。なお、本例においては、水を冷媒として用いる構成について説明するが特に水に限られず、冷却効率の高い他の冷媒を用いる構成とすることも可能である。
【００２９】
オイルクーラ２２は、図示しないオイルクーラ入口から作動油の供給を受けて、オイルクーラ出口から冷却された作動油が排出される。
【００３０】
エンジンラジエータ２４は、図示しないラジエータ入口ホースからエンジン冷却水の供給を受けて、ラジエータ出口ホースから冷却されたエンジン冷却水が排出される。
【００３１】
ハイブリッドラジエータ２９は、図示しないラジエータ入口ホースからハイブリッド冷却水の供給を受けて、ラジエータ出口ホースから冷却されたハイブリッド冷却水が排出される。
【００３２】
図３に示されるように、冷却ユニットの背面側にファン２００が設けられ、ファンの冷却風により冷却ユニットを冷却する構成となっている。また、ファン２００は、エンジン１０の出力軸と連結されて回転する。また、ファン２００を覆うようにファンカバー１７が設けられる。
【００３３】
＜ファンの構成＞
図４は、本実施形態に基づくファン２００の外観図である。
【００３４】
図４を参照して、ファン２００は、１１枚羽で構成される。ファン駆動部２１０は、エンジン１０の出力軸２０２と連結され、流体クラッチによりファン２００の回転を制御する。
【００３５】
図５は、本実施形態に基づくファン駆動部２１０の構成を説明する図である。
図５を参照して、ファン駆動部２１０は、ケース２４０と、クラッチ部２３０と、バネ２２１と、ソレノイド可動子２１６と、ソレノイドコイル２１４と、調整部材２２０と、ホール素子２１５とを含む。
【００３６】
ケース２４０内のオイルたまり２４１にはシリコンオイルが充填されており、クラッチ部２３０へのシリコンオイル量を調整することによりファン２００の回転制御が行なわれる。
【００３７】
ソレノイド可動子２１６は、調整部材２２０と連結される。ソレノイドコイル２１４に供給する電流量を増加させることによりソレノイド可動子２１６は、バネ２２１を縮めて調整部材２２０を下方向に押し下げる。一方、ソレノイドコイル２１４に供給する電流量を減少させることによりソレノイド可動子２１６を下方向に押し下げる力が弱くなり、バネ２２１の反発力により調整部材２２０は上方向に押し上げられる。
【００３８】
調整部材２２０の位置に従ってオイルたまり２４１からクラッチ部２３０に流れ込むシリコンオイル量が調節される。調整部材２２０を下方向に押し下げることによりクラッチ部２３０に流れ込むシリコンオイル量が減少する。一方、調整部材２２０を上方向に押し上げることによりクラッチ部２３０に流れ込むシリコンオイル量が増加する。
【００３９】
シリコンオイル量が変化することによりせん断抵抗が変化し、ファン２００の回転数が変化する。クラッチ部２３０に流れ込むシリコンオイル量が増加することによりせん断抵抗が増加してファン２００の回転数が増加する。一方で、クラッチ部２３０に流れ込むシリコンオイル量が減少することによりせん断抵抗が低下してファン２００の回転数が減少する。
【００４０】
ホール素子２１５は、ファン２００の回転数を検出して、検出結果を後述するファンコントローラに出力する。ファンコントローラは、ホール素子２１５で検出されたファン２００の回転数が所望の回転数となるようにソレノイドコイル２１４に供給する電流量を制御する。
【００４１】
なお、上記のファン駆動部２１０は、シリコンオイルを用いた流体クラッチによりファン２００の回転数を調整する方式について説明しているが、特にこれに限られず、電磁クラッチ等の方式を用いてファン２００の回転数を調整するようにしても良い。
【００４２】
＜電動機システムの冷却構成＞
図６は、実施形態に基づく冷却システム３００について説明する図である。
【００４３】
図６に示されるように、作業車両１０１の冷却システム（冷媒回路）３００は、ハイブリッド機器で構成される電動機システムを冷却する。
【００４４】
本例においては、ハイブリッド機器として、一例として、旋回電気モータ３０２、インバータ３０８、キャパシタ３０６等を冷却する。本例におけるハイブリッド機器は、電気エネルギーに基づいて駆動する電気機器である。旋回電気モータ３０２は、作業機４が連結された旋回体の減速時に発生する電気エネルギーを回収可能に設けられている。キャパシタ３０６は、電気エネルギーを蓄電可能に設けられている。インバータ３０８は、旋回電気モータ３０２とキャパシタ３０６との間に設けられ、旋回電気モータ３０２で回収した電気エネルギーをキャパシタ３０６に蓄電制御する。また、インバータ３０８は、キャパシタ３０６に蓄電された電気エネルギーを用いて旋回電気モータ３０２への電力の供給動作を制御する。なお、ハイブリッド機器は、上記以外の電気機器も含まれる。
【００４５】
冷却システム３００は、複数のハイブリッド機器（旋回電気モータ３０２、インバータ３０８、キャパシタ３０６）と、複数のハイブリッド機器に連通された循環経路Ｌと、ハイブリッドラジエータ２９と、冷却水ポンプ３０４とを含む。なお、本例においては、キャパシタ３０６、インバータ３０８、旋回電気モータ３０２に対して直列に循環経路Ｌが連通する構成について説明するが、特に直列に循環経路Ｌが連通する構成に限られず、並列に連通する構成および両方組み合わせた構成としても良い。
【００４６】
複数のハイブリッド機器で共通の冷媒回路を設けることにより、独立してそれぞれの冷媒回路を設けるよりもレイアウト効率を高めることが可能である。
【００４７】
冷却水ポンプ３０４は、循環経路Ｌにハイブリッド冷却水を循環させる。
ハイブリッドラジエータ２９は、ハイブリッド冷却水を冷却するためのラジエータである。そして、ファン２００により生成された冷却風によりラジエータ内のハイブリッド冷却水が冷却される。
【００４８】
また、本例においては、ファン２００により冷却される冷却ユニットを構成するエンジンラジエータ２４およびオイルクーラ２２も示されている。
【００４９】
また、エンジン１０と直結された発電機モータ１１およびメインポンプ１２も示されている。メインポンプ１２は、エンジン１０の駆動により作業機４を駆動する作動油を供給するポンプであり、作動油を冷却する冷却システムの詳細については図示しないがメインポンプ１２から作業機４に供給された作動油は、オイルクーラ２２で冷却されて再びメインポンプ１２から作業機４に供給される。
【００５０】
また、冷却システム３００は、複数の温度センサをさらに含む。複数の温度センサは、複数のハイブリッド機器（旋回電気モータ３０２、インバータ３０８、キャパシタ３０６）にそれぞれ対応して設けられ、各々が対応するハイブリッド機器の温度を検出する。
【００５１】
本例においては、冷却システム３００は、旋回電気モータ３０２の温度を検出する旋回電気モータ温度センサ１２３と、キャパシタ３０６のセルの温度を検出するキャパシタ温度センサ１２２と、インバータ３０８のインダクタの温度を検出するインバータ温度センサ１２１，１２４とを有している。
【００５２】
インバータ温度センサ１２１は、インバター３０８内に含まれる電子部品のうちの昇圧器インダクタの温度を検出するセンサである。
【００５３】
インバータ温度センサ１２４は、インバータ３０８内に含まれる電子部品のうちの昇圧器ＩＧＢＴ（Insulated  Gate  Bipolar  Transistor）の温度を検出するセンサである。
【００５４】
なお、本例においては、各ハイブリッド機器の電子部品の温度を検出する温度センサについて説明したが、特に当該電子部品に限られず他の電子部品の温度を検出する構成とすることも可能である。なお、本例においては、一例として各ハイブリッド機器に対して少なくとも１つの温度センサを設ける構成について説明しているが、さらに複数の温度センサを設けてハイブリッド機器の電子部品の状態を検出する構成とすることも可能である。
【００５５】
ハイブリッド機器は電子部品であるため負荷の変動に従って温度が急上昇する可能性がある。機器の安定した動作を保障するためにはその温度を適正に調整することが重要である。
【００５６】
本実施形態においては、複数のハイブリッド機器に対して共通の冷媒回路を設けた構成であるため、冷媒の温度を検出するだけでは、いずれのハイブリッド機器の温度を適正に制御するべきか特定することはできない。したがって、複数のハイブリッド機器の電子部品の状態として、それぞれに設けられた温度センサにより検出された温度に基づいてファン２００の回転数を制御する。
【００５７】
また、本例においては、オイルクーラ２２には、作動油の温度を検出する作動油温度センサ１３０が設けられており、後述のように当該作動油温度センサ１３０により検出された作動油の温度も考慮してファン２００の回転数を制御することが可能である。
【００５８】
図７は、実施形態に基づく冷却システム３００の循環経路Ｌを説明する図である。
図７に示されるように、ハイブリッド機器である旋回電気モータ３０２、冷却水ポンプ３０４およびキャパシタ３０６は、車体フレーム９５に支持されている。インバータ３０８は、キャパシタ３０６の上部に配置されている。
【００５９】
インバータ３０８およびキャパシタ３０６は、車体フレーム９５の長手方向（Ｘ方向）の前方端部（図中手前側）に配置されている。旋回電気モータ３０２は、車体フレーム９５の中央部に配置されている。
【００６０】
ハイブリッドラジエータ２９は、車体フレーム９５の長手方向（Ｘ方向）の後方端部に配置されている。
【００６１】
本例においては、冷却水ポンプ３０４から供給されるハイブリッド冷却水が、キャパシタ３０６、インバータ３０８、旋回電気モータ３０２、ハイブリッドラジエータ２９の順に循環経路Ｌを介して供給され、再び冷却水ポンプ３０４に戻る状態が示されている。
【００６２】
冷却システム３００では、循環経路Ｌ内を流れるハイブリッド冷却水と各ハイブリッド機器の電子部品との間で熱交換が行われる。
【００６３】
＜ファン制御システム＞
図８は、実施形態に基づくファン２００を制御する機能ブロック図である。
【００６４】
図８を参照して、ファン制御システムは、インバータ温度センサ（昇圧器ＩＧＢＴ）１２１、キャパシタ温度センサ１２２、旋回電気モータ温度センサ１２３、インバータ温度センサ（昇圧器インダクタ）１２４、メモリ１２５、ファンコントローラ１２６、エンジンコントローラ１２７、エンジン回転センサ１２９、作動油温度センサ１３０、ファン駆動部２１０、ファン２００とを含む。
【００６５】
ファンコントローラ１２６は、エンジン回転センサ１２９で検出されたエンジン回転数をエンジンコントローラ１２７を介して取得する。
【００６６】
ファンコントローラ１２６は、インバータ温度センサ（昇圧器ＩＧＢＴ）１２１およびインバータ温度センサ（昇圧器インダクタ）１２４で検出されたインバータ３０８の温度をそれぞれ取得する。
【００６７】
ファンコントローラ１２６は、キャパシタ温度センサ１２２で検出されたキャパシタ３０６の温度を取得する。
【００６８】
ファンコントローラ１２６は、旋回電気モータ温度センサ１２３で検出された旋回電気モータ３０２の温度を取得する。
【００６９】
ファンコントローラ１２６は、作動油温度センサ１３０で検出された作動油の温度を取得する。
【００７０】
ファンコントローラ１２６は、各温度センサから取得したハイブリッド機器の状態を検出する検出部１２６Ａと、ファン駆動部２１０を制御してファン２００の回転数を調整する調整部１２６Ｂとを含む。
【００７１】
調整部１２６Ｂは、メモリ１２５に格納されている各種情報に基づいてファン２００の目標回転数を設定し、設定された目標回転数で当該ファン２００を回転させるためにファン駆動部２１０を制御する。
【００７２】
メモリ１２５は、ファンコントローラ１２６がファン２００の目標回転数に設定するための複数の制御マップ（関係データ）を格納する。
【００７３】
＜制御マップ＞
図９は、実施形態に基づく複数の制御マップの構成を説明する図である。
【００７４】
図９に示されるように、本例においては、各ハイブリッド機器に対応して設けられた制御マップが示されている。
【００７５】
本例においては、一例として、メモリ１２５に格納されるインバータ（昇圧器ＩＧＢＴ）制御マップ、キャパシタ制御マップ、旋回電気モータ制御マップ、インバータ（昇圧器インダクタ）制御マップ、作動油制御マップ（作動油関係データ）が示されている。
【００７６】
各制御マップと、各温度センサで検出された温度とに基づいてファン２００の目標回転数が設定される。
【００７７】
制御マップでは、所望の冷却風量を確保することが可能なファン２００の目標回転数が、ハイブリッドラジエータ２９の性能に基づき設定されている。当該制御マップに従えば、ハイブリッド冷却水を循環経路Ｌに循環させて各ハイブリッド機器で熱交換を行った場合に、ヒートバランスを成立させることが可能になる。
【００７８】
ここで、各ハイブリッド機器に対応して設けられる制御マップの温度変化に対するファンの回転数の変化率は、作動油制御マップにおける作動油の温度変化に対するファンの回転数の変化率よりも、大きく設定される。
【００７９】
ハイブリッド機器は、電子部品で構成されており、電子部品の温度変化は作動油の温度変化よりも急峻である。このため電子部品の安定した動作を保障するためにハイブリッド機器の温度変化に対するファンの回転数の変化率は、作動油の温度変化に対するファンの回転数の変化率よりも大きく設定されている。
【００８０】
また、ハイブリッド機器に対応する各制御マップは、対応するハイブリッド機器の温度変化に対するファンの回転数の変化率が小さい第１領域と、第１領域の後に第１領域よりも変化率が大きい第２領域と、第２領域の後に第２領域よりも変化率が小さい第３領域と、第３領域の後に第３領域よりも変化率が大きい第４領域とを有する。
【００８１】
図９においては、キャパシタ制御マップについて、第１〜第４の領域が一例として示されている。キャパシタ温度センサ１２２で検出された温度に従ってファン２００の目標回転数を調整する。
【００８２】
第１の領域は、温度Ｔ１となるまでファン２００の目標回転数をＦ０に設定する。
第２の領域は、温度Ｔ１からＴ２に変化する場合にファン２００の目標回転数をＦ０〜ＦＡに設定する。
【００８３】
第３の領域は、温度Ｔ２からＴ３に変化する場合にファン２００の目標回転数をＦＡ〜ＦＢに設定する。
【００８４】
第４の領域は、温度Ｔ３からＴ４に変化する場合にファン２００の目標回転数をＦＢ〜ＦＣに設定する。
【００８５】
本例においては、目標回転数がＦＡに設定されるまでに、温度変化に対して目標回転数の変化率が０の第１領域と、目標回転数の変化率が大きい第２領域とが設けられている。
【００８６】
また、目標回転数がＦＣに設定されるまでに、温度変化に対して目標回転数の変化率が小さい第３領域と、目標回転数の変化率が大きい第４領域とが設けられている。
【００８７】
このように、ファン２００の回転数を調整する必要が生じるまで、温度変化に対して目標回転数の変化率が小さい領域を設けることにより不必要にファンの回転数を上昇させることを抑制できる。無駄なファン回転を減らすことで、エンジンの出力を効率良く利用することが可能になり、燃費の向上を図ることができる。
【００８８】
作動油制御マップは、温度変化に対して線形にファンの回転数が上昇する構成である。一方、ハイブリッド機器に対応する制御マップは、温度変化に対して目標回転数の変化率が小さい領域から大きい領域へと移行する仕様であるため、ファン２００の回転数を上げる必要が生じるまでファンの回転を抑えることができ、より効率的なファンの制御が可能となる。
【００８９】
なお、本例においては、ハイブリッド機器の温度と、ファンの回転数との関係を規定する関係データとして制御マップの構成について説明したが、特に当該構成に限られず両者の関係が規定できるデータであればどのようなものでも良い。一例として両者の関係を規定するデータテーブルの形式の関係データであっても良いし、両者の関係を規定する数式の形式の関係データであっても良い。
【００９０】
図１０は、複数の制御マップを利用してファン２００を制御する概念図である。
当該処理は、ファンコントローラ１２６における検出部１２６Ａおよび調整部１２６Ｂにおける処理である。
【００９１】
図１０に示されるように、調整部１２６Ｂは、エンジン回転センサ１２９で検知されたエンジン回転数に従ってメモリ１２５に格納されているエンジン回転数制御マップを参照してファン回転数を設定する。エンジン回転数制御マップは、エンジン１０の回転数に従ってファン駆動部２１０を介してファン２００の回転数を設定するための制御マップである。
【００９２】
調整部１２６Ｂは、インバータ温度センサ１２１で検出された温度に従ってメモリ１２５に格納されているインバータ（昇圧器ＩＧＢＴ）制御マップを参照してファンの回転数を設定する。
【００９３】
調整部１２６Ｂは、キャパシタ温度センサ１２２で検出された温度に従ってメモリ１２５に格納されているキャパシタ制御マップを参照してファンの回転数を設定する。
【００９４】
調整部１２６Ｂは、旋回電気モータ温度センサ１２３で検出された温度に従ってメモリ１２５に格納されている旋回電気モータ制御マップを参照してファンの回転数を設定する。
【００９５】
調整部１２６Ｂは、インバータ温度センサ１２４で検出された温度に従ってメモリ１２５に格納されているインバータ（昇圧器インダクタ）制御マップを参照してファンの回転数を設定する。
【００９６】
調整部１２６Ｂは、作動油温度センサ１３０で検出された温度に従ってメモリ１２５に格納されている作動油制御マップを参照してファンの回転数を設定する。
【００９７】
上記したように調整部１２６Ｂは、複数の温度センサで検知された温度に従ってメモリ１２５に格納されている制御マップを参照してファン回転数を設定する。
【００９８】
そして、調整部１２６Ｂは、制御マップを参照して設定されたファン回転数を参照して設定されたファン回転数のうちの最も高い回転数を選択する。
【００９９】
本例においては、複数のハイブリッド機器の状態に基づいて冷却に必要な最も高いファン回転数を選択（高回転選択）する。
【０１００】
また、上記したように冷却ユニットには、ハイブリッドラジエータ２９とともに、オイルクーラ２２も含まれるため調整部１２６Ｂは、複数のハイブリッド機器の状態に基づくファン回転数と、作動油の温度に従って作動油制御マップを参照して設定するファン回転数とを比較して最も高い回転数を選択（高回転選択）する。
【０１０１】
そして、調整部１２６Ｂは、エンジン回転数制御マップを参照して設定されたファン回転数と、上記の最も高いファン回転数のうちの低い方のファン回転数を選択（低回転選択）する。
【０１０２】
ファン２００は、ファン駆動部２１０を介してエンジン１０の出力軸と連結され、エンジン１０の駆動力により回転する。したがって、エンジン回転数制御マップに従って設定されるファン回転数は、エンジンの駆動により回転可能な最大のファン回転数である。したがって、選択された最も高いファン回転数（高回転選択）が、エンジン回転数制御マップに従って設定されるファン回転数よりも大きい場合には、エンジン回転数制御マップに従って設定される最大のファン回転数に制限される。
【０１０３】
一方で、選択された最も高いファン回転数（高回転選択）が、エンジン回転数制御マップに従って設定されるファン回転数以下である場合には、選択された最も高いファン回転数（高回転選択）に設定される。過剰なファン回転数でファン２００を回転させることなく効率的にファン２００を回転させることが可能である。
【０１０４】
上記方式により、他の冷却対象物の状態も考慮して複数の制御マップに基づいてファンの回転数を適切に調整することが可能である。
【０１０５】
＜その他＞
なお、本例においては、作業車両として、油圧ショベルを例に挙げて説明したが、ブルドーザ、ホイールローダ等の作業車両にも適用可能である。
【０１０６】
以上、本発明の実施形態について説明したが、今回開示された実施形態は全ての点で例示であって制限的なものではないと考えられるべきである。本発明の範囲は請求の範囲によって示され、請求の範囲と均等の意味および範囲内での全ての変更が含まれることが意図される。
【符号の説明】
【０１０７】
１  走行体、３  旋回体、４  作業機、５  ブーム、６  アーム、７  バケット、１０  エンジン、１１  発電機モータ、１２  メインポンプ、１７  ファンカバー、２２  オイルクーラ、２４  エンジンラジエータ、２９  ハイブリッドラジエータ、９５  車体フレーム、１０１  作業車両、１２１，１２４  インバータ温度センサ、１２２  キャパシタ温度センサ、１２３  旋回電気モータ温度センサ、１２５  メモリ、１２６  ファンコントローラ、１２６Ａ  検出部、１２６Ｂ  調整部、１２７  エンジンコントローラ、１２９  エンジン回転センサ、１３０  作動油温度センサ、２００  ファン、２０２  出力軸、２１０  ファン駆動部、２１４  ソレノイドコイル、２１５  ホール素子、２１６  ソレノイド可動子、２２０  調整部材、２２１  バネ、２３０  クラッチ部、２４０  ケース、３００  冷却システム、３０２  旋回電気モータ、３０４  冷却水ポンプ、３０６  キャパシタ、３０８  インバータ。
【要約】
本発明のある局面に従う作業車両は、複数のハイブリッド機器と、冷媒回路と、ラジエータと、ファンと、可変機構と、複数のセンサと、ファン制御部とを備える。冷媒回路は、複数のハイブリッド機器に連通され、複数のハイブリッド機器を冷却するための冷媒をハイブリッド機器に循環させる。ラジエータは、冷媒回路と接続される。ファンは、ラジエータを冷却するための冷却風を生成する。可変機構は、ファンの回転数を変更可能である。複数のセンサは、複数のハイブリッド機器にそれぞれ対応して設けられ、各々が対応するハイブリッド機器の温度を検出する。ファン制御部は、複数のセンサによって検出されたハイブリッド機器の温度に基づいて、可変機構を制御してファンの回転数を制御する。【図１】
0006027233.tif 000002
【図２】
0006027233.tif 000003
【図３】
0006027233.tif 000004
【図５】
0006027233.tif 000005
【図６】
0006027233.tif 000006
【図７】
0006027233.tif 000007
【図８】
0006027233.tif 000008
【図９】
0006027233.tif 000009
【図１０】
0006027233.tif 000010
【図４】
0006027233.tif 000011